(57)【特許請求の範囲】
【請求項１】
検査すべき歯（４）に指向させ、その歯において少なくとも波長が６７０ｎｍ〜８００ｎｍの範囲にある第１蛍光性放射光（１０）を励起させる、波長が６００ｎｍ〜６７０ｎｍの範囲にある単一波長の励起放射光（９）を発生させる光源（１）と、
６７０ｎｍ以上の通過帯域を持ち、上記第１蛍光性放射光を入力し、上記第１蛍光性放射光（１０）の波長６７０ｎｍ〜８００ｎｍの範囲内の第２蛍光性放射光を出力する、１つのスペクトルフィルタ（７）と、
上記１つのスペクトルフィルタから出力される上記第２蛍光性放射光の強度を検出する検出装置（８）と
を具備し、
上記検出装置が、上記第２蛍光性放射光の強度を評価して、虫歯の存在、歯垢の影響、またはバクテリアによる感染の存在または不存在を直接検出することを特徴とする、
歯の状態の認識装置。
【請求項２】
上記光源（１）は、波長６３０〜６５０ｎｍの範囲内のいずれかの波長の励起放射光を出力する、
請求項１に記載の歯の状態の認識装置。
【請求項３】
上記スペクトルフィルタ（７）は、有色ガラス遮断フィルタまたは回折格子により構成されている、
請求項１または２に記載の歯の状態の認識装置。
【請求項４】
上記スペクトルフィルタ（７）は、蛍光性を有しない、
請求項１〜３のいずれかに記載の歯の状態の認識装置。
【請求項５】
上記スペクトルフィルタ（７）は、前記第１蛍光性放射光を入力し、波長６７０ｎｍ〜８００ｎｍの範囲内の第２の蛍光性放射光を出力する、
請求項１〜４のいずれかに記載の歯の状態の認識装置。
【請求項６】
上記スペクトルフィルタ（７）と直列に、波長８００ｎｍ以下の第２蛍光性放射光を出力する第２スペクトルフィルタをさらに有する、
請求項１〜４のいずれかに記載の歯の状態の認識装置。
【請求項７】
上記検出装置は、上記単一の第２蛍光性放射光の強度を検出する、少なくとも１個のフォトダイオードを有する、
請求項１〜６のいずれかに記載の歯の状態の認識装置。
【請求項８】
上記検出装置に、当該検出装置において検出した前記単一の第２蛍光性放射光の強度に基づき、歯の状態を決定する評価装置（１２）が接続されている、
請求項１〜７のいずれかに記載の歯の状態の認識装置。
【請求項９】
上記フォトダイオードの前段に、前記歯において励起された前記第１蛍光性放射光の強度を増幅するための増幅素子が設けられている、
請求項７に記載の歯の状態の認識装置。
【請求項１０】
前記増幅素子として増倍型光電管を用いる、
請求項９に記載の歯の状態の認識装置。
【請求項１１】
上記励起用放射光（９）および上記歯（４）からの第１蛍光性放射光（１０）は、光導体（３、６）により伝搬される、
請求項１〜１０のいずれかに記載の歯の状態の認識装置。
【請求項１２】
上記光源（１）で発生された上記励起放射光（９）は、当該励起放射光（９）に連結されたレンズシステムを介して、光導体（３）に導かれ、および／または、上記光導体（３）の終端に設置されたレンズシステムを介して歯に伝搬される、
請求項１１に記載の歯の状態の認識装置。
【請求項１３】
上記光源（１）で発生された上記励起放射光（９）は、当該励起放射光（９）に連結されたレンズシステムを介して、光導体（６）に供給され、および／または、上記光導体（６）の終端に設置されたレンズシステムを介して上記スペクトルフィルタに伝搬される、
請求項１１に記載の歯の状態の認識装置。
【請求項１４】
上記励起用放射光（９）を伝搬する第１の光導体（３）と、
上記歯（４）からの上記第１蛍光性放射光（１０）を伝搬する第２の光導体（６）と
が独立して設けられた、
請求項１〜１３のいずれかに記載の歯の状態の認識装置。
【請求項１５】
光導体が設けられ、
該光導体が、上記励起用放射光（９）を伝搬し、かつ、上記歯（４）からの上記第１蛍光性放射光（１０）をも伝搬するために用いられる、
請求項１〜１３のいずれかに記載の歯の状態の認識装置。
【請求項１６】
上記光源（１）と、上記光導体（３）と、上記光源側終端との間に、上記第１の蛍光性放射光（１０）を分離するためのビーム分離器が設けられている、
請求項１５に記載の歯の状態の認識装置。
【請求項１７】
前記光導体は、
前記励起放射光を伝搬する少なくとも１本の光ファイバーと、
前記第１蛍光性放射光を伝搬する複数本数の光ファイバー（６ａ）と
を有する、
請求項１５に記載の歯の状態の認識装置。
【請求項１８】
上記蛍光性放射光（１０）を伝搬する光ファイバー（６ａ）は、上記励起放射光（９）を伝搬するため上記少なくとも１本の光ファイバー（３ａ）を中心として、その周囲に配置されている、
請求項１７に記載の歯の状態の認識装置。
【請求項１９】
上記第１の蛍光性放射光（１０）を伝搬する光ファイバーは、直径方向に沿って、上記励起放射光（９）を伝搬するための少なくとも１本の光ファイバー（３ａ）から外側に面取り加工が施されている、
請求項１８に記載の歯の状態の認識装置。
【請求項２０】
上記光ファイバーの直径は、ほぼ２００マイクロメートル（μｍ）である、
請求項１７〜１９のいずれかに記載の歯の状態の認識装置。
【請求項２１】
上記光源（１）は、レーザダイオードまたはＨｅＮｅレーザである、
請求項１〜２０のいずれかに記載の歯の状態の認識装置。
【請求項２２】
上記光源（１）から出力され上記歯に指向される上記励起放射光（９）を周期的に変調する変調手段が設けられ、
上記検出装置（８）は、上記変調された励起放射光の変調周波数に応じて上記入力した第２蛍光性放射光（１０）を評価して、虫歯および歯垢の影響、またはバクテリアによる歯の状態を検出する、
請求項１〜２１のいずれかに記載の歯の状態の認識装置。
【請求項２３】
上記変調手段における上記励起放射光の変調周波数は、１００Ｈｚ〜２０ｋＨｚの範囲にある、
請求項２２に記載の歯の状態の認識装置。
【請求項２４】
上記変調手段は、上記変調周波数に応じて回転する開口ダイアフラムを有する、
請求項２２または２３に記載の歯の状態の認識装置。
【請求項２５】
上記変調手段は、上記変調周波数に応じて上記レーザダイオードの印加電圧を変化させる、
請求項２１に記載の歯の状態の認識装置。
【請求項２６】
上記検出装置から出力される結果は、音声で出力される、
請求項１〜２５のいずれかに記載の歯の状態の認識装置。
【発明の詳細な説明】
【０００１】
【発明の属する技術分野】
本発明は、請求項１の前文に従う虫歯および歯垢の影響またはバクテリアによる歯の感染を認識する歯の状態の認識装置に関するものである。特に、検査すべき歯に指向させ、その歯において蛍光性放射光を励起させる励起放射光を発生する光源と、上記歯の蛍光性放射光を検出する検出装置と、上記検出装置の前部に設置されたスペクトルフィルタとを有する歯の状態の認識装置に関するものである。
【０００２】
【従来の技術】
虫歯および歯垢の影響またはバクテリアによる歯の感染を視覚検査により、またはＸ線を用いることによって発見できることは知られている。しかし、視覚検査によってはしばしば満足した結果が得られない。それは例えば、初期段階の虫歯または歯の観察しにくい場所にある虫歯は検出できないからである。他方では、Ｘ線は虫歯および他の歯の病気の発生を検出するには有効な方法と実証されたにも関わらず、Ｘ線による人体の健康への影響を考慮すると、この検査方法は最適ではない。従って、歯における虫歯の存在を検出可能にする新しい技術の開発の必要性が存在していた。
【０００３】
ドイツ特許ＤＥ３０３１２４９Ｃ２には、実質的な単色光によって歯を照射する人間の歯にある虫歯の非接触検査方法が提案されている。実質的な単色光の放射光は、歯における蛍光性放射光を励起する。虫歯と健康な歯の領域から反射された蛍光スペクトルは明らかな違いを示すことが発見された。従って、歯の蛍光スペクトルの赤色スペクトル領域（波長約５５０〜６５０ｎｍ）では、虫歯の蛍光性放射光の強度は健康な歯より非常に強い。反対に、蛍光スペクトルにおける青色スペクトル領域（波長約３５０〜４５０ｎｍ）では、虫歯領域と歯の健康な領域の蛍光性放射光の強度はほぼ同じである。
【０００４】
ドイツ特許３０３１２４９Ｃ２は、例えば、波長４１０ｎｍの光で歯を照射し、二つのフィルタを用いて、光検出器によって、４５０ｎｍの第１の波長および６１０ｎｍの第２の波長、即ち、青色および赤色スペクトル領域の歯の蛍光性放射光を検出することを提案している。このような方式で検出された蛍光性放射光強度を引き算処理することで、放射強度の差により、健康な歯と虫歯領域を明瞭に区別することができる。
【０００５】
同様な方法は、S.Albin その他の論文“歯におけるレーザにより励起された蛍光”,Proc. SPIE 907, pages 96-98, 1988にも述べられている。それによると、波長４８８ｎｍの光による励起が提案されている。
【０００６】
ドイツ特許出願ＤＥ４２００７４１Ａは、さらなる改良を加えた利点として、波長３６０から５８０ｎｍまでの励起放射光で歯の蛍光性放射光を発生させ、歯の蛍光性放射光の内、波長６２０ｎｍ以上の蛍光性放射光を抽出することを提案している。これらの手段により、励起放射光の波長と受信された蛍光性放射光の波長の差が十分大きく、励起放射光と蛍光性放射光が重なることによる判定結果の歪みの発生を防止できる。
【０００７】
E. de Josselin de Jongその他の論文“レーザ励起蛍光による生体内の初めてのエナメル虫歯の変化の定量化方法”, Caries Res. 1995, 29, pages 2-7 では、波長４８８ｎｍのレーザで歯を照射し、ＣＣＤカメラで歯からの蛍光性放射光の内波長５２０ｎｍ以上の蛍光性放射光を検出することを提案した。コンピュータプログラムにより、検出結果が評価され、虫歯領域を検出できる。
【０００８】
【発明が解決しようとする課題】
上述した既知の検査方法および装置は、歯の蛍光性放射光を励起するために、一般的に、波長５８０ｎｍ以下の励起放射光を用いる。これらの手段によると、蛍光性放射光を発生するために比較的に大きな有効断面積が得られるが、健康な歯の組織からの蛍光性放射光は虫歯の損傷部分からの蛍光性放射光より非常に強い。従って、既知の検査方法および装置においては、蛍光性放射光の複雑な比較作業が必要であり、特定の波長領域において、隣り合う健康な歯と虫歯領域から放射された蛍光性放射光（E. de Josselin de Jongその他の論文を参照）、または異なる二つの波長領域からの蛍光性放射光の測定信号を複雑な方法で互いに比較する必要がある（ドイツ特許ＤＥ３０３１２４９Ｃ２を参照）。さらに、上述した既知の装置は複雑な構造を要求しており、これらの装置を経済的に製造することはできず、市場に流通することは殆どない。
【０００９】
一般的に、励起放射光の波長を短くすることにより、歯の組織による光の散乱が増加する。既存の装置による短波長の励起放射光およびそれにより生じた強い光散乱により、励起放射光が直接照射された歯の表面領域しか検査できないので、既知の装置および方法に関しては、さらに問題がある。
【００１０】
従って、本発明の目的は、直接に観察できないまたは届かない歯の領域にある虫歯および歯垢の影響またはバクテリアによる歯の感染を確実に検出することを可能とし、高い感度を有する虫歯および歯垢の影響またはバクテリアによる歯の感染を認識する歯の状態の認識装置を提供することにある。さらにこの装置は簡単で、経済的で、上述した問題の影響を受けにくいべきである。
【００１１】
【課題を解決する手段】
本発明によれば、検査すべき歯に指向させ、その歯において少なくとも波長が６７０ｎｍ〜８００ｎｍの範囲にある第１蛍光性放射光を励起させる、波長が６００ｎｍ〜６７０ｎｍの範囲にある単一波長の励起放射光を発生させる光源と、６７０ｎｍ以上の通過帯域を持ち、上記第１蛍光性放射光を入力し、上記第１蛍光性放射光の波長６７０ｎｍ〜８００ｎｍの範囲内の第２の蛍光性放射光を出力する、１つのスペクトルフィルタと、上記１つのスペクトルフィルタから出力される上記第２蛍光性放射光の強度を検出する検出装置とを具備し、上記検出装置が、上記第２蛍光性放射光の強度を評価して、虫歯の存在、歯垢の影響、またはバクテリアによる感染の存在または不存在を直接検出することを特徴とする、歯の状態の認識装置が提供される。
【００１２】
本発明は、実験結果に基づくものである。それによると、赤色スペクトル領域（即ち、波長が６００から６７０ｎｍの間）による励起放射光により、バクテリアによる感染された歯、特に虫歯の場合、蛍光性放射光が励起される。上述した波長領域による励起放射光では、従来技術の説明に関して、健康な歯の領域からの蛍光性放射光はこのような励起波長において大きく低減される利点がある。これらの手段によれば、虫歯領域からの蛍光性放射光に、健康な歯の組織からの蛍光性放射光がわずかに重なるだけなので、虫歯および歯垢の影響またはバクテリアによる歯の感染を簡単に、問題に影響されにくい方法で、しかも高感度で認識できる。従って、本発明の装置は、虫歯およびバクテリアによる歯の感染の早期診断に理想的である。
【００１３】
さらに、本発明では、従来技術と逆に、蛍光性放射光の狭いスペクトル領域のみではなく、波長が６７０ｎｍ以上の非常に広いスペクトル領域を利用して、蛍光性放射光を評価することができる。蛍光性放射光の検出において、本発明にかかる装置の高い感度により、複雑なＣＣＤカメラおよび高感度の増倍型光電管を用いる必要がなく、感光性素子として、簡単なフォトダイオードを用いて、歯の蛍光性放射光を検出することができる。本発明のさらなる利点は、本発明による励起光の波長領域およびフィルタによって検出される蛍光性放射光において、歯の組織からの散乱を非常に小さく保持できることにある。従って、例えば、歯と歯の間の領域に発生した虫歯、または進行中の虫歯などのように、観察が困難または届きにくい歯の領域に発生した虫歯でも簡単な方法で確実に認識することができる。最後に、本発明によれば、例えば、レーザダイオードなどの簡単な光源を用いることができるので、複雑なコリメータ光学システムを必要としない利点がある。また、簡単なバッテリによる操作ができる。
【００１４】
【発明の実施の形態】
図面および好適な実施形態を参照しながら、本発明はさらに詳細に記述される。
第１実施形態
図１は本発明に係る装置を用いた場合、歯の組織の蛍光スペクトルの例を示す。
蛍光スペクトルａ１は虫歯領域の蛍光スペクトルを示し、ｂ１は健康な歯の組織の蛍光スペクトルを示している。色素レーザ（ｄｙｅ  ｌａｓｅｒ）を用いて励起放射光を発生させることにより、蛍光スペクトルが得られる。例えば、励起波長６２０ｎｍの場合、蛍光スペクトルａ１およびｂ１が得られ、励起波長６３０ｎｍの場合、蛍光スペクトルａ２およびｂ２が得られ、励起波長６４０ｎｍの場合、蛍光スペクトルａ３およびｂ３が得られ、励起波長６５０ｎｍの場合、蛍光スペクトルａ４およびｂ４が得られる。図１に示す蛍光スペクトルにおいて、レーザのパワーは６０ミリワット（ｍＷ）である。図１によると、本発明によって提案される波長６００〜６７０ｎｍ範囲の励起放射光および歯の蛍光性放射光の内波長６７０ｎｍ以上の領域を利用することにより、虫歯領域および健康な歯の領域の蛍光強度は著しく異なる結果が得られる。従って、本発明によれば、波長６７０ｎｍ以上の領域から検出された蛍光性放射光は、直接、且つ簡単に評価できる。その結果、直接に検出された蛍光性放射光に基づき、虫歯領域の存在を決定できる。従って、本発明の装置を用いることにより、従来技術から知られている非常に複雑な評価手順は不必要となる。
【００１５】
図２は本発明に係る装置の第１の実施形態を示している。光源１により発生される励起放射光９は結合レンズ系２および光導体３を介して、歯４の検査すべき領域５に照射される。波長６００ｎｍから６７０ｎｍまでの励起放射光により、照射された歯４の検査すべき領域５において、比較的に広いスペクトル領域にわたって蛍光性放射光１０が励起される。励起された蛍光性放射光１０は第２の光導体６およびスペクトルフィルタ７を介して検出装置８に伝搬され、歯の蛍光性放射光の検出および評価に用いられる。従って、スペクトルフィルタ７は好適には、波長６７０ｎｍ以上の蛍光性放射光のみを通過させるように形成される。検出装置８は伝搬されてきた蛍光性放射光１０を直接評価し、検出された蛍光性放射光により、直接に虫歯および歯垢の影響またはバクテリアによる歯の感染の有無を決定する。
【００１６】
光源１は、好適には、ＨｅＮｅレーザまたはレーザダイオードを用いて、波長６００〜６７０ｎｍの励起放射光を発生する。それによって、波長の増加に伴いこれらのレーザダイオードの出力可能なパワーが増加し、コストが低減する。反対に、励起放射光の波長が増加することにより、励起放射光と蛍光性放射光のスペクトルの差が低減し、フィルタに対する要求が厳しくなる。折衷案として、特に波長６５０ｎｍ前後の励起放射光が有利である。
【００１７】
励起放射光９は、独立したレンズ系２を介して、光導体３に結合される。または、通常レーザダイオードが組み込まれた場合に、コリメータ光学システムを介して、光導体３に結合される。このような光導体は硬性または可撓性を備えるように形成される。さらに、その歯側の終端に他の光学手段、例えばレンズを装着して光ビームを所定の方向に指向させ、および／または患者の口に合うように、あるいは検査すべき歯に応じてその形状が設定される。さらにまた、歯４の検査を容易に行うように、光導体３に交換可能な屈折ミラーまたはレンズを装着する。従って、このような光導体３を用いることにより、歯の領域５または検査すべき歯４に励起放射光９を指向させることを可能にする。これにより、本発明に係る装置は日常に行われている人間の歯（または動物の歯）の虫歯検査における様々な要求に柔軟に対応できる。
【００１８】
上述した光導体３に関する内容は、さらに蛍光性放射光１０をフィルタ７に伝搬する光導体６にも当てはまる。二つの光導体３および６はそれぞれ複数の光ファイバーから構成することができる。光源１としてレーザを用いる場合、励起放射光９および蛍光性放射光１０は、例えば、芯の直径が２００マイクロメートル（μｍ）の比較的に細い光ファイバーを用いて伝送することができる。歯の外部表面を検査する場合、二つの光導体３および６を別々に用いることが特に好都合である。図２に示す実施形態により、光導体３および６の歯側の位置は互いに独立して別々に選択することができ、特に深いところにある虫歯あるいは不明な病状を検査するときに満足した検出感度を実現できる。
【００１９】
本発明に係る装置のフィルタ７は、波長６７０ｎｍ以上に大きな通過帯域を有する。フィルタ７は、例えば、有色ガラスの遮断フィルタにより実現でき、または、例えば、回折格子などのスペクトル選択用光学素子により実現できる。好適には、フィルタ７自体はできる限り蛍光性を有しないように構成される。図１に示すように、本発明により、波長６７０ｎｍから８００ｎｍ範囲内の蛍光スペクトル領域が特に興味深い。従って、さらに波長８００ｎｍ以上の長波長領域を遮断するフィルタ７ａを適切に直列に設けることができる。代わりに、波長６７０ｎｍから８００ｎｍまでの通過帯域を有するフィルタ７を用いることもできる。
【００２０】
検出装置８は、好適には感光性素子としてフォトダイオードを用いて、蛍光性放射光を検出する。感度を向上させるため、フォトダイオードに前置増幅器が組み込まれる。同様に、蛍光性放射光の光学領域において、増幅素子として、増倍型光電管を用いることも考えられる。
【００２１】
光源１および検出装置８の感光性素子をともに半導体素子により構成された場合に、本発明に係る装置に、低電圧電源部品を用いることができる。これにより、消費電力を低減でき、電源としてバッテリまたは充電型バッテリのみで構成できる。
【００２２】
第２実施形態
図３は本発明に係る装置の第２の実施形態を示し、図２に示した装置の構成部分は同じ参照符号を用いて表記する。図３に示す実施形態によると、蛍光性放射光１０は励起放射光９とともに同じ光導体３により伝搬される。光導体３のビーム出力から蛍光性放射光１０を取り出すために、ビーム分離器１１が設けられている。ビーム分離器１１は、光源１とレンズ２との間に設置され、あるいは、レンズ２と光導体３の光源側の終端との間に設置されている。本発明のこのような構成は、歯の根管を検査する場合に特に有用である。
【００２３】
第３実施形態
図４は本発明に係る装置の第３の実施形態を示している。本実施形態によると、励起放射光９および蛍光性放射光１０を伝搬するため、基本的に二つの光導体３および６は別々に設けられているが、取扱いを便利にするために、光導体３と光導体６はハンドピース１５の形にまとめられている。光導体６自体は、複数の光ファイバー６ａを含む。代わりに、励起放射光９を伝搬する光導体３も複数の光ファイバーにより構成することができる。
【００２４】
図５は歯に向かう側のハンドピース１５の断面図を示している。好適には、光導体６を構成する各々の光導体６ａは光導体３の一本のファイバーを中心として、その周囲に配置されている。この方法により、蛍光性放射光の検出の信頼性と精度が向上し、且つ安定化される。
【００２５】
図６は歯に向かう側のハンドピース１５の側面図を示している。図６に示すように、好適には、光ファイバー６ａの終端はハンドピース１５と検査される歯の表面５との距離に応じて、面取り加工が施されている。これにより、励起放射光９および蛍光性放射光１０の確実な、広範囲な重なり合いが達成できる。
【００２６】
図４には指示装置または表示装置１３を有する評価装置１２が付け加えて表示されている。評価装置１２は、検出装置８から伝送されてきたデータを評価して、虫歯領域の有無を決定する。指示装置または表示装置１３は検出装置８から伝送されてきた測定信号を視覚的に表示する。同様に、音声によって測定信号を示すことも考えられる。評価装置１２および／または表示装置１３は検出装置８に組み込むこともできる。
【００２７】
上述した方法により虫歯および歯垢の影響またはバクテリアによる歯の感染を認識する場合に、検出された蛍光性放射光に日光または室内の人工照明が重なり、検査能力が低下するという一般的な問題がある。同様に、この周囲光が歯によって反射され、結果的に光導体６の光ファイバー６ａにより集光される。そして、本発明に応じた検出領域（波長６７０ｎｍ以上）にある周囲光のスペクトル領域が背景信号を発生し、虫歯認識の感度を制限する。
【００２８】
本発明によれば、光源１により生成された励起放射光９を周期的に変調することにより、この問題を有効に解決することができる。従って、例えば、励起放射光９をパルスのように発生することが考えられる。この場合に、励起状態が数ナノ秒（ｎｓ）程度の短い持続時間により、実際的に蛍光性放射光は励起放射光の強度に追従する。反対に、周囲光は周期的に変調されることなく、ただ一定の量として検出された蛍光性放射光に重なる。蛍光性放射光を評価する場合に、関連した周波数で周期的に変調された蛍光性放射光のみが検出信号として評価される。
【００２９】
この方法により、一定の量の周囲光はある程度除去され、虫歯および歯垢の影響またはバクテリアによる歯の状態の認識は周囲光から実質的に無関係となる。しかし、周囲光は電源電圧の周波数に応じて少しながら変調されるので、励起放射光９の変調周波数は電源電圧の周波数から著しく離れるように選択する必要がある。好適には、１００Ｈｚから２００ｋＨｚの範囲内で選択することが望ましい。これらの変調周波数により、励起放射光の変調成分は簡単な方法で評価でき、またはヘッドセットあるいはスピーカなどの音声的な方法で評価できる。
【００３０】
図４に回転する開口ダイヤフラム１４を用いて励起放射光９を変調する例を示している。これは他の機械式のチョッパにより代替することができる。光源１にレーザダイオードが用いられる場合に、レーザダイオードの駆動電圧を対応して変動させる方法により励起放射光９の変調を直接に実現できる。
【００３１】
【発明の効果】
以上説明したように、本発明の歯の状態の認識装置によれば、虫歯領域および健康な歯の領域からの蛍光性放射光の蛍光スペクトル強度の差が広がり、虫歯および歯垢の影響またはバクテリアによる歯の感染部分の検出精度および信頼性の向上を図れ、構造の簡単化およびコストの低減を実現できる利点がある。
【図面の簡単な説明】
【図１】本発明に係る装置を用いた場合、虫歯および健康な歯組織の蛍光スペクトル例を示す図である。
【図２】本発明に係る装置の第１の実施形態を示す図である。
【図３】本発明に係る装置の第２の実施形態を示す図である。
【図４】本発明に係る装置の第３の実施形態を示す図である。
【図５】本発明の装置に係る光導体の断面図である。
【図６】図５に示す光導体の好適な構成の歯側の終端部分の側面図である。
【符号の説明】
１…光源、２…レンズ、３，６，６ａ…光導体、４…歯、５…歯の検査すべき領域、７…フィルタ、８…検出装置、９…励起放射光、１０…蛍光性放射光、１１…ビーム分離器、１２…評価装置、１３…表示装置。
【図１】
0003737579.tif 000002
【図２】
0003737579.tif 000003
【図３】
0003737579.tif 000004
【図４】
0003737579.tif 000005
【図５】
0003737579.tif 000006
【図６】
0003737579.tif 000007